(57)【要約】【課題】  棚間のスペースの効率化を実現し、テスター訴求、ＰＯＰ訴求を拡大し、盗難抑止効果が十分に期待できる化粧品陳列用什器を提供すること。【解決手段】  什器体基部と、引き出し自在に該什器体基部に収納された容器体部と、該容器体部を該什器体基部に収納した状態で保持する係合装置とよりなる化粧品陳列什器であって、さらに、一端が該什器体基部に付設され、他端が該容器体部の底部に付設された弾性部材よりなる駆動部と、該駆動部による該容器体部の引き出し速度を制御するための制動部とを具備したことを特徴とする自動引き出し式化粧品陳列什器。【選択図】  図１
2006218284.tif 000002
【特許請求の範囲】
【請求項１】
什器体基部と、引き出し自在に該什器体基部に収納された容器体部と、該容器体部を該什器体基部に収納した状態で保持する係合装置とよりなる引き出し式化粧品陳列什器であって、さらに、一端が該什器体基部に付設され、他端が該容器体部の底部に付設された弾性部材よりなる駆動部と、該駆動部による該容器体部の引き出し速度を制御するための制動部とを具備したことを特徴とする自動引き出し式化粧品陳列什器。
【請求項２】
弾性部材がコンストンバネである請求項第１項記載の化粧品陳列什器。
【請求項３】
制動部がダンパである請求項第１項または請求項第２項記載の化粧品陳列什器。
【請求項４】
容器体部が、商品陳列トレイが架設可能な商品陳列部および、商品説明の表示が可能なテスター陳列部に分割された請求項第１項ないし請求項第３項の何れかの項記載の化粧品陳列什器。
【請求項５】
さらに、商品陳列トレイに、商品を前面に搬出するための押し出し部材を具備したことを特徴とする請求項第４項記載の化粧品陳列什器。
【請求項６】
押し出し部材が、その底部にコンストンバネを設けたものである請求項第５項記載の化粧品陳列什器。
【発明の詳細な説明】
【技術分野】
【０００１】
本発明は、メークアップ化粧品等のテスターとともに、販売用の化粧品等の商品を店頭等に陳列するために用いられる化粧品陳列用什器に関するものである。
【背景技術】
【０００２】
昨今の化粧品の売場および販売方法の多様化により、化粧品売場は従来の専門店舗からドラッグストア、コンビニエンスストアなどにまで広がり、販売方式も従来の販売員の対面接客による販売方式から、顧客が自由に試し、選べるセルフ販売方式へ変化している。
【０００３】
そのため、陳列する商品も、顧客の選択の幅を広げるためアイテムを増やし、店員の接客によらずとも、顧客自身で商品を自由に試し、かつその商品内容についての情報を得やすいようにする必要がある。
【０００４】
従来のメーク用品陳列什器としては、例えば、特許文献１に開示されているような、ゴンドラ式什器の棚板にテスター用パーツやＰＯＰ用のパーツを備え付けたものが使用されていた。また、特許文献２に開示されているような、通常の棚板の代わりにメーク用品の種類に応じて作られたパーツよりなる、壁掛けタイプの陳列什器なども知られていた。
【０００５】
ところが、従来の陳列什器では、以下のような問題が生じていた。すなわち、棚等に陳列された商品を顧客が手に取るために、棚間の上下スペースを、少なくとも手を自由に出し入れできる程度に確保しなければならず、そのことにより、自ずと棚数が制限され、アイテムの種類や、商品のボリュームに制限が生じていた。
【０００６】
また、従来の陳列什器では、テスター用什器を別個に設ける場合を除いて、テスターと販売用商品を同じ棚で陳列していたため、テスターを訴求するスペースや、ＰＯＰ訴求用のスペースが十分に確保できなかった。
【０００７】
さらには、従来の陳列什器では、店員がいちいち店頭の商品を補充しなくても、商品のスムーズな供給を実現するために、販売用の商品を常に一定量、顧客が手に取りやすい形で陳列する必要があったが、このことにより、商品の万引き行為が誘発されやすいという事態をも招いていた。
【０００８】
【特許文献１】特開２００１−２９９５１８
【特許文献２】特開２０００−２９６０３９
【発明の開示】
【発明が解決しようとする課題】
【０００９】
そこで本発明は、従来の欠点をなくした、棚間のスペースの効率化を実現し、テスター訴求、ＰＯＰ訴求を拡大し、盗難抑止効果が十分に期待できる化粧品陳列用什器の提供をその課題とするものである。
【課題を解決するための手段】
【００１０】
本発明は、上記課題を解決するものであり、什器体基部と、引き出し自在に該什器体基部に収納された容器体部と、該容器体部を該什器体基部に収納した状態で保持する係合装置とよりなる化粧品陳列什器であって、さらに、一端が該什器体基部に付設され、他端が該容器体部の底部に付設された弾性部材よりなる駆動部と、該駆動部による該容器体部の引き出し速度を制御するための制動部とを具備したことを特徴とする自動引き出し式化粧品陳列什器である。
【発明の効果】
【００１１】
本発明の自動引き出し式化粧品陳列什器は、什器体基部と、引き出し自在に該什器体基部に収納された容器体部と、該容器体部を該什器体基部に収納した状態で保持する係合装置とよりなるもので、商品販売時には、該容器体部前面を押すことにより、これがゆっくりと手前側にスライドしてくるという特徴を有する。
【００１２】
すなわち、商品販売時に顧客が什器前面をプッシュすると、什器内の係合装置が外れ、販売用商品を収納した容器体部が、駆動部の力と、その速度を制御する制動部の作用により、適当なゆっくりしたスピードで手前側にスライドしてくるという構成をとるものである。従って、需要者等は、従来のように、棚間に手を差し入れて商品を取り出す必要がないため、そのためのスペースは不要となり、棚間のスペースの効率化を図ることができる。
【００１３】
また、商品は、該容器体部の商品陳列部に収納されているため、什器前面部を全面的にテスターおよびＰＯＰ用の訴求スペースとして利用することができる。
【００１４】
さらには、通常は商品陳列部が収納された構成をとり、顧客が商品を取り出す際は什器前面をプッシュする等の作業が増えるので、万引き行為を行いにくく、盗難抑止効果を期待できる。
【発明を実施するための最良の形態】
【００１５】
以下、本発明の自動引き出し式化粧品陳列什器の一実施態様を、図面に基づいて具体的に説明する。
【００１６】
図１は本発明に係る化粧品陳列什器の構成を示す透視斜視図、図２は容器体部を什器体基部に収納した状態の平面図、図３は、容器体部が什器体基部から引き出された状態の平面図である。各図中、1は什器体基部を、２は容器体部を示し、さらに、３は駆動部を、４は係合部を、５は制動部を、そして、６はガイド機構を示す。また、８は商品陳列部を、９はテスター陳列部をそれぞれ示す。
【００１７】
図１ないし３に示すように、本実施態様の化粧品陳列什器は、什器体基部１と、引き出し自在に什器体基部１に収納された容器体部２とから構成されている。この什器体基部１には、コンストンバネ本体部３ａ、ガイドレール６ａ、ダンパレール５ｂ、ラッチ本体部４ａ、また、本実施態様の容器体部２には、コンストンバネ３ｂの端側の接合部３ｃ、ガイド部材６ｂ、ダンパ本体部５ａ、ラッチ凸部材４ｂがそれぞれ付設されている。
【００１８】
本実施態様において、駆動部３は、コンストンバネ本体部３ａおよびコンストンバネ３ｂより構成される。このうち、コンストンバネ本体部３ａは、什器体基部１の上面前方部に回動自在に枢設されている。一方、コンストンバネ３ｂは巻回姿勢方向に自己付勢されており、その一端がコンストンバネ本体部３ａに保持されて巻き取られ、他端部が容器体部２の底面後方部３ｃに接合されている。
【００１９】
そして容器体部２を引き出すとき（手前側に動かすとき）には、容器体部２の前面を軽く押し込むと、係合装置４の、ラッチ本体部４ａとラッチ凸部材４ｂの係合が解除され、コンストンバネ３ｂにおける什器前方向への付勢力によって、コンストンバネ３ｂの一端と他端とが近接する方向に移動する。したがって、本実施態様のように弾性部材の一端が什器体基部１の前方部分（３ａ）に、他端が容器体部２の後方部分（３ｃ）に付設されている場合は、コンストンバネ３ｂの付勢力で該部分が近接する方向（すなわち、容器体部２としては手前側）に移動し、これによって容器体部２が什器体基部１から自動的に引き出される（図３参照）。
【００２０】
また容器体部２の収納時には、容器体部２の前面を押し込むことにより、コンストンバネ３ｂの一端（３ａ）と他端（３ｃ）とを互いに離間する方向に移動させ、最後に、係合装置４の、ラッチ本体部４ａとラッチ凸部材４ｂの係合によって容器体部２は什器体基部１に収納され、保持される（図２参照）。この押し込む力により、コンストンバネ３ｂには什器前方向への付勢力が発生し、次回の引き出し時まで蓄えられる。
【００２１】
本発明の化粧品陳列什器は、コンストンバネの本体３ａを容器体部２に固定し、コンストンバネの他端３ｃを什器体基部１に保持してもよい。いずれにしても、容器体部２を什器体基部１に収納する時にコンストンバネの一端と他端との距離が長くなり、容器体部２が什器体基部１から引き出された時にコンストンバネの一端と他端との距離が短くなるように構成される。
【００２２】
弾性部材として本実施例ではコンストンバネを用いているが、それ以外にも什器外方向に自己付勢されたものを用いることができ、例えば、ぜんまいバネ、つるまきバネなどを用いることができる。ただし、伸長長さが変化してもバネ定数の変化の小さいコンストンバネを用いることが好ましい。コンストンバネを用いれば、容器体部２が什器体基部１から引き出される速度が変化するのが防止されるからである。
【００２３】
本実施態様においては、什器基部１と容器体部２は、ガイド機構６により、正確にスライド運動ができるようになっている。このガイド機構６は、ガイドレール６ａとガイド部材６ｂより構成される。このうち、ガイドレール６ａは、什器体基部１の上面に、前後方向に２本並設されている。このガイドレール６ａにはそれぞれ、長手方向側面に凹状溝が設けられており、容器体部２の底面に２つ付設されたガイド部材６ｂの、長手方向側面に形成された凸部と嵌合する。容器体部２が什器体基部１上をスライドして移動するときは、ガイド部材６ｂ凸部が、ガイドレール６ａに凹状溝に嵌合した状態を保持したまま、ガイドレール６ａに従って移動する。これにより、容器体部２を什器体基部１からスライドして出し入れする際に、一定の方向に容器体部２が送出されることを確保し、また、什器体基部１から容器体部２が誤ってはずれてしまうというような事態を防ぐこともできる。なお、ガイドレール６ａは容器体部２に付設し、ガイド部材６ｂを什器体基部１に付設してもよい。
【００２４】
制動部５は、基本的にラックアンドピニオンの構造を有するものである。ダンパレール５ｂは、什器体基部１の上面、前後方向に敷設されており、長手方向側面に鋸の歯状の凹凸部が形成されたラックであり、容器体部２の底面に付設されたダンパ本体部５ａの歯車部材（ピニオン）と係合するように構成されている。容器体部２が什器体基部１上をスライドして移動するときは、ダンパ本体部５ａの歯車部材が、ダンパレール５ｂに形成された凹凸部に嵌合した状態を保持したまま、ダンパレール５ｂに従って移動する。これにより、容器体部２を什器体基部１からスライドして出し入れする際に、ダンパの制動トルクが抵抗となって、コンストンバネ３ｂにより付勢された容器体部２の挙動をゆるやかなものにすることができる。なお、ダンパレール５ｂは容器体部２に敷設し、ダンパ本体部５ａを什器体基部１に付設してもよい。
【００２５】
本発明の化粧品陳列什器は、上記の制動部５を備えなくとも、十分にその発明の効果を奏しうるものであるが、制動部５を具備することは、以下の理由から望ましい。すなわち、これにより容器体部２が什器体基部１から、適時な速度を維持したまま引き出されるので、テスターや陳列商品のディスプレイにも影響を与えず、また高級感も演出することができる。このダンパ部材としては、シリコンオイルなどを封入したもの、バネ力を利用するものなど、公知のものを用いることができる。そして弾性部材の本体とダンパ部材とが螺合する構成としてもよいし、弾性部材の本体にダンパ部材を内蔵することも可能である。
【００２６】
前記した系合装置４のラッチ本体部４ａは、什器体基部１の上面後方部に付設され、該本体部４ａの凹部が、容器体部２の底面後方に付設されたラッチ凸部材４ｂの凸部と対向し、容器体部２の収納時において係合する位置関係にそれぞれ配設されている（図２参照）。ラッチ本体部４ａの凹部とラッチ凸部材４ｂの凸部を係合するには、容器体部２が什器体基部１から引き出されている状態から、容器体部２を什器体基部１の最奥部に当接するまで押し入れることにより、自動的に係合される。而してラッチ本体部４ａの凹部とラッチ凸部材４ｂの凸部が係合することにより、コンストンバネ３ｂの付勢力と釣り合い、容器体部２の収納状態が維持される。ラッチ本体部４ａの凹部とラッチ凸部材４ｂの凸部の係合を解除するには、係合状態のまま、容器体部２を什器体基部１の奥方向にさらに押し込む動きを与えることにより解除される。なお、ラッチ本体部４ａは容器体部２に付設し、ラッチ凸部材４ｂを什器体基部１に付設してもよい。
【００２７】
本発明の化粧品陳列什器において、容器体部２は特にその構造が制約されるものではないが、例えば、前後に仕切る仕切板７によって、商品陳列部８および、テスター陳列部９に分割されており、テスター陳列部９の前面下部にはＰＯＰ表示部１０が形成されているものであることが好ましい。
【００２８】
図１に示すように、商品陳列部８には、陳列トレイ用溝１１が商品陳列部８を構成する左右側壁に複数形成されている。この商品陳列部８に商品を陳列するには、図４に示すような陳列トレイレール１０１の両端に形成された爪状突起１０１ａを陳列トレイ用溝１１に差し込むことで、陳列トレイレール１０１を架設する。次に、その上に商品陳列トレイ１０２を載置することにより、商品陳列トレイ１０２上での商品陳列が可能となる。本実施態様では、陳列トレイ用溝１１は、陳列トレイレール１０１の架設する高さを三段階調整できるように、左右４個ずつ、合計１２個形成されているので、商品の形状・寸法に応じて、商品陳列トレイ１０２を任意の高さで設置できる。
【００２９】
以下に、商品陳列トレイ１０２の具体的な使用方法を、口紅などの細長い商品を展示する場合を例に取り、図５に従って説明する。まず、隣接する陳列商品間の仕切りになる仕切りパーツ１０３を、商品陳列トレイ１０２の前端および後端にコの字状形成された立ち上がり部１０２ａおよび１０２ｂに嵌装する。次に、この仕切パーツ１０３に並べて押し出し部材１０４を挿着し、更にこれに隣接させて仕切パーツ１０３を挿着する。押し出し部材１０４は、その底部１０４ａに陳列商品を什器前方に押し出させるように自己付勢されたコンストンバネ１０４ｂと、商品に当接し什器前方向へ陳列商品を押圧する背板パーツ１０４ｃより構成される（図５ｂ）。この押し出し部材１０４の嵌装の方法は、仕切りパーツ１０３と同様、その前後端を商品陳列トレイ１０２の立ち上がり部材１０２ａおよび１０２ｂに挿着することで、嵌装される。該立ち上がり部に挿着された状態で、該基部は多少の遊びを有しているため、商品の形状・寸法に応じて、仕切りパーツ１０３および駆動部材１０４を任意に左右にスライドさせて、在庫維持単位（stock-keeping unit）に応じた陳列スペースを設定することができる。
【００３０】
陳列商品を陳列するには、まず、前もって仕切りパーツ１０３および押し出し部材１０４を商品陳列トレイ１０２に嵌装しておき、陳列する商品の形状・寸法に合わせて、仕切りパーツ１０３の間隔を調整する。次に、押し出し部材１０４の背板パーツ１０４ｃを後方に押圧しながら、商品を挿入していく。挿入された商品は、弾性部材１０４ｂの付勢力により、容器体部２の仕切板７に押圧された状態が維持される。したがって、最前列の商品を取り出すと、該付勢力により、２列目以降の陳列商品が容器体部２の仕切板７に当接するまで押し出される。
【００３１】
これにより、販売用商品は常に商品陳列部の最前部に搬出される状態が保持されるので、顧客が陳列された商品を手に取るには、容器体部２はその最前部の商品のみを取り出せる位置まで前面にスライドさせればよく、売り場面積を効率的に利用することができるとともに、販売用の商品として必要最低限の数量が什器外部に搬出されるので、万引きを抑止するという点においても効果的である。
【００３２】
なお、本実施例では、具体的に１０２ないし１０４の部材を示したが、本発明がこれらに限定されるという趣旨ではなく、この他に、陳列する商品の形状・寸法に応じて、さまざまな部材を適宜組み合わせることも可能である。また、押し出し部材１０４の弾性部材としては、什器外方向に自己付勢されたものを用いることができ、ぜんまいバネ、つるまきバネなどを用いることができる。中でも、伸長長さが変化してもバネ定数の変化の小さいコンストンバネを用いることが望ましい。
【００３３】
図６は、テスター陳列部９に設置することができる、商品の寸法や形状に応じたテスター陳列専用パーツを示した図である。図６ａの２０１は、軸物テスター陳列パーツであり図６ｂの２０２はリップ・ネイルテスター陳列パーツである。これらの設置方法は、該パーツ下部に形成された突起状爪２０１ａないし２０２ａを、テスター陳列部９の最前部に形成されたストッパー溝１２に嵌合する。次に、該パーツ上部２０１ｃないし２０２ｃを、仕切板７に当接させる方法で設置する。そして、軸物テスター陳列パーツ２０１では、その凹曲した表面に設けられた陳列突起２０１ｂに軸物の見本を載置することにより、リップ・ネイルテスター陳列パーツ２０２では、そのほぼ中央に設けられた長穴２０２ｂにリップ・ネイルテスターパーツ２０２ｄを挿入し、これにリップ用化粧料やネイル用化粧料の見本を並べることにより、テスターの展示を行うことができる。
【００３４】
一方、図６ｃの２０３は、ネイル・ビン物・粉物テスター陳列パーツであり、該パーツ下部に形成された突起状爪２０３ａを、テスター陳列部９の最前部に形成されたストッパー溝１２に嵌合する。次に、該パーツ背板部２０３ｃを、仕切板７に当接させる方法で設置する。そして、陳列する商品は、背板部２０３ｃの前のくぼみ部２０３ｂに並べることにより展示できる。更に、図６ｄの２０４は、粉物用前出しパーツである。このものは、置き式かつ自立式となっているので、テスター陳列部９に任意に設置することができる。
【００３５】
上記した、図６ａないし図６ｄのテスター陳列専用パーツ２０１ないし２０４は、商品の寸法や形状に応じて交換できるので、１台の什器で様々なアイテムに対応することが可能であり、さらに、テスター陳列専用パーツの一部もしくは全部をＰＯＰ表示部として利用することが可能である。すなわち、本実施態様のように、該テスター陳列専用パーツが透明アクリルの場合は、シート状に形成された紙部材であって、その少なくとも一面に、色彩、模様、文字等が付された表示物を、該テスター陳列専用パーツの裏側から、色彩、模様、文字等が見える形で貼付すればよい。かかる表示物は、販売商品の情報を記載したものでもよいし、広告宣伝としての訴求効果を狙った表示を記載したものでもよい。いずれにしても、該表示物は、販促に応じて自由に交換することができる。
【００３６】
さらに、テスター陳列部９には、図７に示す陳列部カバー２０５を開閉自在に設置することができる。本実施態様では、陳列部カバー２０５は、側面視円弧状の湾曲面に形成されたアクリル製の蓋体であって、その上部両端に形成されたヒンジ部２０５ａを、テスター陳列部９の両側板の上部に形成されたヒンジ受け部２０５ｂに嵌合することで、テスター陳列部９に設置することができる。陳列部カバー２０５は通常、閉じられた状態で保持されているが、顧客が該カバー前面下部に形成された切欠き２０５ｃに指を差込み、上方向に該カバーを引き上げることにより、陳列部カバー２０５を開くことができるので、所望のテスターを自由に試用することの妨げとはならない。テスター陳列部９は、通常状態では、陳列部カバー２０５に蓋われた状態で保持されるので、テスターに埃がついたりするなどの事態を事前に防ぐことができる。
【００３７】
また、ＰＯＰ表示部１０は、図７に示す専用パーツのＰＯＰレール２０６およびＰＯＰレールカバー２０７を設置することで、ＰＯＰ表示が可能となる。設置方法は、まず、ＰＯＰレール２０６の両端に形成された突起状爪２０６ａを、ＰＯＰ表示部１０の両端に形成された受け孔１３に嵌合する。次に、ＰＯＰレールカバー２０７の上部両端に形成されたヒンジ受け部２０７ａを、ＰＯＰレール２０６の両側板の上部に形成されたヒンジ部２０６ｂに嵌合することで、ＰＯＰレールカバー２０７を開閉自在に設置することができる。ＰＯＰレール２０６には、シート状に形成された紙部材であって、その少なくとも一面に、色彩、模様、文字等が付された表示物を貼付することができる。かかる表示物は、販売商品の情報を記載したものでもよいし、広告宣伝としての訴求効果を狙った表示を記載したものでもよい。いずれにしても、該表示物は、販促に応じて自由に交換することができる。
【００３８】
なお、ＰＯＰ表示部１０には、上記の情報とともに、陳列商品の取り出し方法についての記載を表示することが望ましい。すなわち、顧客が陳列商品を取り出すには、什器の前面のいずれかの部分を奥に押す動作が必要であるが、ＰＯＰ表示部１０は什器前面の押す場所として最適であるので、ここに、「商品を取る際は、ここを押して下さい」というような記載を表示すれば、顧客が商品を取り出すのに戸惑ったり、あるいは、什器の別の箇所、例えば商品陳列部を手で押して、商品ディスプレイを崩してしまうなどのおそれもない。
【００３９】
以上説明したように、本発明の化粧品陳列用什器は、商品販売時に顧客が什器前面をプッシュすると、什器内の係合装置が外れ、販売用商品を収納した容器体部が適時なスピードで手前側にスライドしてくるという動作を行うものであるので、従来のように、顧客が棚間に手を差し入れる必要なく陳列された商品を手にすることが可能となり、棚間のスペースの効率化を図ることができる。また、該容器体部における商品陳列部が収納されているため、什器前面部を全面的にテスターおよびＰＯＰ用の訴求スペースとして利用することができる。さらには、通常は商品陳列部が収納された構成をとり、顧客が商品を取り出す際は什器前面をプッシュする等の作業が増えるので、万引き行為などを予防し、盗難抑止効果を期待できるものである。
【図面の簡単な説明】
【００４０】
【図１】本発明に係る化粧品陳列什器の構成を示す透視斜視図である。
【図２】本発明に係る化粧品陳列什器の容器体部を什器体基部に収納した状態の平面図である。
【図３】本発明に係る化粧品陳列什器の容器体部が什器体基部から引き出された状態の平面図である。
【図４ａ】商品陳列トレイレールを示す斜視図である。
【図４ｂ】商品陳列トレイを示す斜視図である。
【図５ａ】商品陳列トレイの一実施形態を示す斜視図である。
【図５ｂ】商品陳列トレイ用の押し出し部材を示す斜視図である。
【図６ａ】テスター陳列専用パーツの一実施例である軸物テスター陳列パーツを示した斜視図である。
【図６ｂ】テスター陳列専用パーツの一実施例であるリップ・ネイルテスター陳列パーツを示した斜視図である。
【図６ｂ−２】テスター陳列専用パーツの一実施例であるリップ・ネイルテスター陳列パーツを示した斜視図である。
【図６ｃ】テスター陳列専用パーツの一実施例であるネイル・ビン物・粉物テスター陳列パーツを示した斜視図である。
【図６ｄ】テスター陳列専用パーツの一実施例である粉物用前出しパーツを示した斜視図である。
【図７ａ】陳列部カバーを示した斜視図である。
【図７ｂ】ＰＯＰレールを示した斜視図である。
【図７ｃ】ＰＯＰレールカバーを示した斜視図である。
【符号の説明】
【００４１】
１    …  …  什器体基部
２    …  …  容器体部
３    …  …  駆動部
３ａ  …  …  コンストンバネ本体部
３ｂ  …  …  コンストンバネ（弾性体部）
３ｃ  …  …  接合部
４    …  …  係合部
４ａ  …  …  ラッチ本体部
４ｂ  …  …  ラッチ凸部材
５    …  …  制動部
５ａ  …  …  ダンパ本体部
５ｂ  …  …  ダンパレール
６    …  …  ガイド機構
６ａ  …  …  ガイドレール
６ｂ  …  …  ガイド部材
７    …  …  仕切板
８    …  …  商品陳列部
９    …  …  テスター陳列部
１０    …  …  ＰＯＰ表示部
１１    …  …  陳列トレイ用溝
１２    …  …  ストッパー溝
１３    …  …  受け孔
１０１    …  …  陳列トレイレール
１０１ａ  …  …  爪状突起
１０２    …  …  商品陳列トレイ
１０２ａ  …  …  立ち上がり部材
１０２ｂ  …  …  立ち上がり部材
１０２ｃ  …  …  ストッパー部材
１０３    …  …  仕切パーツ
１０４    …  …  押し出し部材
１０４ａ  …  …  押し出し部材基部
１０４ｂ  …  …  弾性部材
１０４ｃ  …  …  背板パーツ
２０１    …  …  軸物テスター陳列パーツ
２０１ａ  …  …  突起状爪
２０１ｂ  …  …  陳列突起
２０１ｃ  …  …  パーツ上部
２０２    …  …  リップ・ネイルテスター陳列パーツ
２０２ａ  …  …  突起状爪
２０２ｂ  …  …  長穴
２０２ｃ  …  …  パーツ上部
２０２ｄ  …  …  リップ・ネイルテスターパーツ
２０３    …  …  ネイル・ビン物・粉物テスター陳列パーツ
２０３ａ  …  …  突起状爪
２０３ｂ  …  …  くぼみ部
２０３ｃ  …  …  背板部
２０４    …  …  粉物用前出しパーツ
２０５    …  …  陳列部カバー
２０５ａ  …  …  ヒンジ部
２０５ｂ  …  …  ヒンジ受け部
２０５ｃ  …  …  切欠き
２０６    …  …  ＰＯＰレール
２０６ａ  …  …  突起状爪
２０６ｂ  …  …  ヒンジ部
２０７    …  …  ＰＯＰレールカバー
２０７ａ  …  …  ヒンジ受け部
【図１】
2006218284.tif 000003
【図２】
2006218284.tif 000004
【図３】
2006218284.tif 000005
【図４ａ】
2006218284.tif 000006
【図４ｂ】
2006218284.tif 000007
【図５ａ】
2006218284.tif 000008
【図５ｂ】
2006218284.tif 000009
【図６ａ】
2006218284.tif 000010
【図６ｂ】
2006218284.tif 000011
【図６ｂ−２】
2006218284.tif 000012
【図６ｃ】
2006218284.tif 000013
【図６ｄ】
2006218284.tif 000014
【図７ａ】
2006218284.tif 000015
【図７ｂ】
2006218284.tif 000016
【図７ｃ】
2006218284.tif 000017